(57)【要約】【課題】上方に配設されるノズルから噴射される圧縮空気の一部をベンチュリ管の周壁部に形成した開口部から噴出させ、ベンチュリ管の外周付近に発生する負圧を緩和することができ、リテーナの上端側を含む濾布全体を外方に膨らませ、濾布に付着した粉塵の払い落としを確実に行うことができ、有効な濾過面積を広げ、集塵効率を改善することができると共に、リテーナの上端側での濾布の張り付きを緩和して濾布の破損を防止することができ、濾布の長寿命性に優れるベンチュリ管を提供することを目的とする。【解決手段】バグフィルタ用リテーナの上端側の中心部に内挿されて配設されるベンチュリ管であって、周壁部の円周上に形成された複数の開口部と、開口部の下端部で周壁部の内周側に配設された案内部と、を有する。【選択図】図１
2008049302.tif 000002
【特許請求の範囲】
【請求項１】
バグフィルタ用リテーナの上端側の中心部に内挿されて配設されるベンチュリ管であって、周壁部の円周上に形成された複数の開口部と、前記開口部の下端部で前記周壁部の内周側に配設された案内部と、を備えたことを特徴とするベンチュリ管。
【請求項２】
前記複数の開口部が、前記周壁部に千鳥状に配置されていることを特徴とする請求項１に記載のベンチュリ管。
【請求項３】
前記周壁部の上端外周に配設されたフランジ部と、前記フランジ部に形設され上端側から下端側に向かって拡開して形成されたテーパ状の内周面を有するフランジ部開口部と、を備えたことを特徴とする請求項１又は２に記載のベンチュリ管。
【請求項４】
金属線で環状に形成され所定間隔をあけて複数本配置された固定リングと前記固定リングの外側に接合された複数本の縦線材とを備えたリテーナ本体と、前記リテーナ本体の上端側の中心部に内挿されて配設された請求項１乃至３の内いずれか１項に記載のベンチュリ管と、を備えたことを特徴とするバグフィルタ用リテーナ。
【発明の詳細な説明】
【技術分野】
【０００１】
本発明は、集塵機の濾布を内側から支持するバグフィルタ用リテーナに配設されるベンチュリ管及びそれを備えたバグフィルタ用リテーナに関するものである。
【背景技術】
【０００２】
従来、集塵機として、含塵気流を通過させて粉塵を分離捕集する濾布（フィルタバッグ）と、濾布の形状を保持するため濾布を内側から支持する支持枠（以下、リテーナという。）と、を備えたものが用いられている。集塵機を運転すると、濾布は粉塵を捕集して運転時間の経過とともに吸引力の損失が大きくなるので、捕集した粉塵を間欠的に又は連続的に払い落とす必要がある。このような払い落とし機構を備えたものとして、例えば、（特許文献１）や（特許文献２）などに記載されているように、リテーナの上端側にベンチュリ管を備え、パルスジェット（圧縮空気）をベンチュリ管に向かって噴射することにより濾布の逆洗を行うパルスジェット形の集塵機がある。
図５（ａ）はパルスジェット形の払い落とし機構を備えた集塵機における従来のバグフィルタ用リテーナの集塵時の濾布の状態を示す要部模式断面図であり、図５（ｂ）はパルスジェット形の払い落とし機構を備えた集塵機における従来のバグフィルタ用リテーナの粉塵の払い落とし時（逆洗時）の濾布の状態を示す要部模式断面図である。
図５において、５０はパルスジェット形の払い落とし機構７０を備えた集塵機の上部に配設された従来のバグフィルタ用リテーナ、５１はバグフィルタ用リテーナ５０のリテーナ本体、５２はリテーナ本体５１の上端部に配設固定されたベンチュリ管、５２ａはベンチュリ管５２上端のフランジ部、５５はリテーナ本体５１の外周に配設された筒状の濾布、６０はバグフィルタ用リテーナ５０を保持する集塵機の仕切り板（セルプレート）、７０ａはベンチュリ管５２の上方に配設され圧縮空気をベンチュリ管５２に向かって噴射するパルスジェット形の払い落とし機構７０のノズルである。
【０００３】
図５（ａ）に示すように、集塵機の含塵気流入口から集塵室内に流入した含塵気流は、濾布５５の外側から脱塵されて濾布５５内に流入し、粉塵が濾布５５の外周に捕集されて、粉塵が分離捕集された清浄気流がベンチュリ管５２から排出される。ベンチュリ管５２の上方には払い落とし機構７０のノズル７０ａが配置されており、図５（ｂ）に示すように、ノズル７０ａから圧縮空気を一定時間毎にベンチュリ管５２から濾布５５の内側に噴射し、濾布５５に付着した粉塵を濾布５５の外側に瞬間的に払い落としている。
【特許文献１】特開平１０−２１１４１０号公報
【特許文献２】特開平８−２９９７３２号公報
【発明の開示】
【発明が解決しようとする課題】
【０００４】
しかしながら、パルスジェット形の集塵機について、粉塵の払い落とし時における濾布５５の動作を観察したところ、ノズル７０ａからパルスジェット（圧縮空気）を噴射した際に、リテーナ本体５１の上端側のベンチュリ管５２の外周付近では、ベンチュリ効果により負圧が発生し、図５（ｂ）に示すように、濾布５５がリテーナ本体５１に引きつけられ張り付いたままの吸引状態となり、濾布５５の上端部の粉塵の払い落としが出来ていないことが分かった。そこで、リテーナ本体５１の長手方向にセンサ（デジタル微差圧計）を取り付けて圧力を測定したところ、リテーナ本体５１の全長（３ｍ〜９ｍ）によらず、濾布５５の上端から５００ｍｍ〜６００ｍｍのほぼ一定の範囲では、ベンチュリ管５２の外周付近に負圧が発生していることが判明した。図６（ａ）〜（ｃ）は、圧力２９４ｋＰａのパルスジェット（圧縮空気）を０．２秒間噴射した際の上端から２００ｍｍ、３５０ｍｍ、３０００ｍｍの各位置での圧力の測定結果を示した図である。尚、この現象はベンチュリ管５２がない場合でも同様に確認された。
以上のことから、従来の技術における以下のような課題が明らかとなった。
（１）正圧のパルスジェット（圧縮空気）を噴射しても、その噴射速度が速い（約９０ｍ／ｓ）ため、正圧が発生するのは一瞬（約０．０２秒間）だけであり（図６（ａ），（ｂ）参照）、濾布５５が反応することができず、吸引状態のままとなり、濾布５５の上端部での粉塵の払い落としが出来ず、集塵効率が低下する。
（２）高速のパルスジェット（圧縮空気）がベンチュリ管を通過することにより、ベンチュリ効果によってリテーナ本体５１の内部の圧力が低下する。このとき、バグフィルタ用リテーナ５０の外部にある含塵気流が濾布５５を通過して清浄気流としてリテーナ本体５１の内部に取り込まれるが、濾布５５の抵抗によって清浄気流の供給が間に合わず、巻き込み負圧が発生する。その結果、ブロア負圧と巻き込み負圧の両方で濾布５５がリテーナ本体５１の外周に強く引きつけられたままの吸引状態となり、濾布５５がリテーナ本体５１に擦られて破損し易く、長寿命性に欠ける。
（３）特に、濾布５５の上端から５００ｍｍ〜６００ｍｍの負圧から正圧に変化する境目の位置では、濾布５５が極端に内外に引き合い、屈曲による損傷が著しくなる。
（４）パルスジェットの圧力を高くした場合やベンチュリ管５２を取り外した場合、或いはベンチュリ管５２をリテーナ本体５１の外部に突出させて取り付けた場合は、濾布５５の上端部の負圧がさらに増大し、濾布５５が破損し易くなる。そのため、パルスジェットの圧力は、通常１９６ｋＰａ〜６８６ｋＰａ程度の範囲だが、濾布５５の破損を防ぐために、パルスジェットの圧力を３９２ｋＰａ以下に抑えて使用しているところもあり、その結果、長尺のリテーナでは、パルスジェットがリテーナ本体５１の下端まで到達せず、上下両端で粉塵の払い落としが出来なくなる傾向がある。
【０００５】
本発明は上記従来の課題を解決するもので、上方に配設されるノズルから噴射される圧縮空気の一部をベンチュリ管の周壁部に形成した開口部から噴出させ、ベンチュリ管の外周付近に発生する負圧を緩和することができ、リテーナの上端側を含む濾布全体を外方に膨らませ、濾布に付着した粉塵の払い落としを確実に行うことができ、有効な濾過面積を広げ、集塵効率を改善することができると共に、リテーナの上端側での濾布の張り付きを緩和して濾布の破損を防止することができ、濾布の長寿命性に優れるベンチュリ管及びそれを備えたバグフィルタ用リテーナを提供することを目的とする。
【課題を解決するための手段】
【０００６】
上記従来の課題を解決するために本発明のベンチュリ管及びそれを備えたバグフィルタ用リテーナは、以下の構成を有している。
本発明の請求項１に記載のベンチュリ管は、バグフィルタ用リテーナの上端側の中心部に内挿されて配設されるベンチュリ管であって、周壁部の円周上に形成された複数の開口部と、前記開口部の下端部で前記周壁部の内周側に配設された案内部と、を備えた構成を有している。
この構成により、以下のような作用が得られる。
（１）周壁部の円周上に形成された複数の開口部と、開口部の下端部で周壁部の内周側に配設された案内部と、を有するので、濾布の逆洗時にバグフィルタ用リテーナの上部に配設されたノズルから圧縮空気を噴射した際に、その圧縮空気の一部を案内部で案内して開口部から周壁部の外周方向（リテーナの半径方向）に噴出させることができ、リテーナの上端側に発生する負圧を低減することができ、リテーナの上端側を含む濾布全体を略均一に外方に膨らませることができ、濾布に付着した粉塵の払い落としを確実に行うことができ、メンテナンスの信頼性に優れ、集塵時の有効な濾過面積を広げて集塵効率を改善することができ、省エネルギー性に優れる。
（２）濾布の逆洗時にバグフィルタ用リテーナの上部に配設されたノズルから噴射された圧縮空気の一部を開口部からリテーナの半径方向（外周方向）に向かって噴出させ、リテーナの上端側に発生する負圧を低減することにより、リテーナの上端側で濾布が強く引きつけられてリテーナ本体に張り付くのを緩和することができ、濾布の破損を防止して濾布の寿命を向上させることができる。
（３）周壁部の円周上に複数の開口部が配置されることにより、逆洗時にノズルから噴射される圧縮空気を周壁部の全周からリテーナの外周側に向かって満遍なく噴出させることができ、リテーナ上端側の濾布を全周に渡って確実に外方に膨らませることができ、粉塵の払い落としを効率的に行って脱塵効率を略一定に保つことができる。
（４）複数の開口部を周壁部の円周上に配置することにより、周壁部の外周で部分的に負圧が発生することを防止でき、負圧低減効果の均一性に優れ、確実に粉塵の払い落としを行うことができ、濾過性能の信頼性及び濾布の長寿命性に優れる。
【０００７】
ここで、周壁部の開口部の形状、数、面積、配置等は、バグフィルタ用リテーナのリテーナ本体の直径、ベンチュリ管の直径や長さなどに応じて、適宜、選択することができる。例えば、開口部の形状としては、例えば半円状、半楕円状、長孔状などが好適に用いられる。
周壁部の開口部は、ベンチュリ管の周壁部の円周上に２箇所〜８箇所、好ましくは３箇所〜６箇所、配置することが好ましい。開口部の数が３箇所より少なくなるにつれ、周壁部から噴出される圧縮空気が偏り易くなり、周壁部の外周付近の濾布が均一に膨らみ難くなって、リテーナの上端部での粉塵の払い落とし効果が不十分になる傾向があり、６箇所より多くなるにつれ、ベンチュリ管の内部を通過してリテーナの下端まで到達する圧縮空気の量が不足し易くなり、リテーナの下端側での粉塵の払い落とし効果が不十分になる傾向が見られる。特に、開口部の数が２箇所より少なくなると、周壁部から噴出される圧縮空気が偏って、周壁部の外周付近の濾布の膨らみ不均一になり、リテーナの上端部の粉塵を払い落とすことが困難になり、８箇所より多くなるにつれ、ベンチュリ管の内部を通過した圧縮空気をリテーナの下端まで到達させることが困難となり、リテーナの下端側の粉塵を払い落としことが困難となるので、いずれも好ましくない。
また、開口部を長孔状に形成する等して十分な開口面積を確保することにより、集塵時にブロアによって吸引された清浄空気が開口部を通ってベンチュリ管の内部に侵入し易くなり、ブロアの負荷を低減することができる。
【０００８】
周壁部の開口部の配置は、等間隔でも不等間隔でもよいが、特に開口部をベンチュリ管の周壁部の円周上に等角度間隔で配置した場合は、周壁部の全周から放射状に圧縮空気が噴出されるので、気流の流れが周壁部の外周の全周に渡って均一となり、濾布を満遍なく膨らませることができ、粉塵の払い落としを斑無く行うことができ、濾過性能の安定性に優れる。
また、開口部は、周壁部の長手方向に複数段、設けることができ、各々の開口部の長さと周壁部の全長に応じて、開口部を配置する段数を任意に選択することができる。複数段の開口部を配置する場合には、段毎の開口部の長さは同一でもよいし、異なっていてもよい。また、各段における各々の開口部の長さも同一である必要はなく、例えば二種類の長さの開口部を交互に並べることもできる。
周壁部の長手方向に複数段の開口部を配置した場合、逆洗時にノズルから噴射される圧縮空気を周壁部外周のほぼ全域で開口部からリテーナの外周側に向かって噴出させることができ、リテーナ上端側の濾布を負圧発生領域の全長に渡って確実に外方に膨らませることができ、粉塵の払い落としを効率的に行うことができる。特に、周壁部の円周上に配置された開口部が、長手方向に隣接する開口部と互い違いに並ぶように千鳥状に配置した場合、周壁部の強度を低下させることなく、開口部を密集させて開口面積を増やすことができ周壁部の全面から斑なく均一に圧縮空気を噴出させることができ、負圧低減効果の効率性、信頼性に優れ、その分、濾布の寿命及び脱塵効率を向上させることができる。
【０００９】
案内部としては、周壁部に開口部を形成する際に、下端部を除いて切り抜き、周壁部の内側に折り曲げることにより、周壁部と一体に形成したものが好適に用いられる。また、各々の開口部の下端部に平板状の別部材で形成した案内部を溶着やねじ止めなどにより取り付けてもよい。
また、周壁部の各々の開口部の位置に対応する複数の案内部を一体に形成してもよい。例えば、周壁部の内径と同等の外径を有する円板状の部材の中央に中央開口部を設け、その周囲に各々の開口部の位置に対応する複数の案内部を形成すればよい。尚、中央開口部の開口面積はベンチュリ管の内径と周壁部に形成する開口部の数に応じて、適宜、選択することができる。また、開口部からリテーナの外周に噴出させる圧縮空気の量と、中央開口部からリテーナの下端側に噴出させる圧縮空気の量とのバランスを考えて中央開口部の開口面積や形状などを決定する。
特に、周壁部に複数段の開口部を形成する場合、周壁部の長手方向の途中に形成する開口部には、周壁部と一体に形成する周壁案内部が好適に用いられる。溶着やねじ止めなどの必要がなく、生産性に優れるためである。また、周壁部の下端部近傍に形成する開口部には、複数の案内部を一体に形成した環状の底部案内部が好適に用いられる。ベンチュリ管の下端部に配設することにより、簡便に組み立てることができ生産性に優れるためである。
【００１０】
また、周壁部の上端側と案内部のなす取り付け角度αは、３０度〜９０度が好ましい。案内部の取り付け角度αが３０度より小さくなるにつれ、開口部と案内部の間隔が狭くなり、圧縮空気が開口部から噴出し難くなると共に、開口部から噴出した圧縮空気がリテーナの半径方向（外周方向）に広がらずにリテーナの下端側に流れ易くなり、リテーナの上端側（周壁部の外周）の濾布を外方に膨らますことが困難になる傾向があり、９０度より大きくなるにつれ、案内部に当たった圧縮空気を開口部に案内することができず、圧縮空気がそのままベンチュリ管の内部を通ってリテーナの下端側に流れ易くなり、リテーナの上端側（周壁部の外周）の濾布を外方に膨らますことが困難になる傾向があり、いずれも好ましくない。
【００１１】
請求項２に記載の発明は、請求項１に記載のベンチュリ管であって、前記複数の開口部が、前記周壁部に千鳥状に配置されている構成を有している。
この構成により、請求項１で得られる作用に加え、以下のような作用が得られる。
（１）複数の開口部が、周壁部に千鳥状に配置されていることにより、逆洗時にノズルから噴射される圧縮空気を周壁部の円周方向或いは長手方向の位置によらず、開口部からリテーナの外周側に向かって確実に噴出させることができ、リテーナ上端側の濾布を斑なく均一に外方に膨らませることができ、粉塵の払い落としの効率性、濾過性能の信頼性に優れる。
【００１２】
ここで、各段に円周上に等角度間隔で開口部を配置し、上下で隣接する各段の開口部の位置を円周方向に少しずつずらすようにして配置することにより、複数の開口部を千鳥状に配置することができる。例えば開口部を二段に配置する場合には、上下の開口部の位置を円周方向に半ピッチずらして配置することにより、周壁部の全面に満遍なく開口部を配置することができ、負圧改善効果の均一性に優れる。
【００１３】
請求項３に記載の発明は、請求項１又は２に記載のベンチュリ管であって、前記周壁部の上端外周に配設されたフランジ部と、前記フランジ部に形設され上端側から下端側に向かって拡開して形成されたテーパ状の内周面を有するフランジ部開口部と、を備えた構成を有している。
この構成により、請求項１又は２で得られる作用に加え、以下のような作用が得られる。
（１）周壁部の内周側に案内部を突設することにより、ベンチュリ管内部の抵抗が増加し、流路断面積が減少するが、フランジ部にフランジ部開口部を形設することにより、リテーナ上端部の流路断面積を確保することができ、集塵時の吸引に用いるブロアの負荷が増加することを防止でき、信頼性に優れる。
（２）フランジ部開口部が、上端側から下端側に向かって拡開して形成されたテーパ状の内周面を有することにより、集塵時のブロアの吸引によって発生する圧力損失を低減してブロアの負荷を低減できると共に、逆洗時のパルスジェット噴射後の負圧の発生を抑えることができ、負圧改善効果を向上させ、粉塵の払い落としの効率性、濾過性能の信頼性を向上させることができる。
【００１４】
ここで、フランジ部開口部の形状、数、配置等は、バグフィルタ用リテーナのリテーナ本体の直径やベンチュリ管の直径などに応じて、適宜、選択することができる。例えば、フランジ部開口部の形状としては、円形状或いは楕円形状などの長円形状が好適に用いられる。尚、フランジ部開口部は、フランジ部の円周上に等角度間隔で配置することが好ましい。ブロアによって吸引される清浄空気の流れが周壁部の外周全周に渡って均一となり、濾布全面で斑無く効率的に濾過を行うことができ、濾過性能の安定性に優れるためである。
また、フランジ部開口部の開口面積（総面積）は、案内部の形状や面積などにもよるが、リテーナ本体の断面積の３％〜８％が好ましい。フランジ部開口部の開口面積（総面積）がリテーナ本体の断面積の３％より小さくなるにつれ、集塵時の吸引に用いるブロアの負荷が増加し易くなる傾向があり、８％より大きくなるにつれ、粉塵の払い落とし時にパルスジェットを噴射した際に、パルスジェットによる濾布内の正圧と仕切り板（セルプレート）上部のブロアの吸引負圧との間で引き合いが発生し、リテーナ本体の上端部における負圧低減効果が不十分になると共に、パルスジェットの正圧もリテーナ本体の下端まで行き届かなくなり、リテーナ本体の下端部での粉塵の払い落としが不足し易くなる傾向があり、いずれも好ましくない。
【００１５】
本発明の請求項４に記載のバグフィルタ用リテーナは、金属線で環状に形成され所定間隔をあけて複数本配置された固定リングと前記固定リングの外側に接合された複数本の縦線材とを備えたリテーナ本体と、前記リテーナ本体の上端側の中心部に内挿されて配設された請求項１乃至３の内いずれか１項に記載のベンチュリ管と、を備えた構成を有している。
この構成により、以下のような作用が得られる。
（１）リテーナ本体の上端側の中心部にベンチュリ管が内挿されて配設されることにより、濾布の逆洗時にリテーナ上部のノズルから噴射される圧縮空気の一部をベンチュリ管の周壁部に設けられた開口部からリテーナ本体の半径方向に噴出させ、リテーナ本体の上端側に発生する負圧を低減することができ、リテーナ本体の上端側を含む濾布全体を外方に膨らませ、濾布に付着した粉塵の払い落としを確実に行うことができ、集塵時の有効な濾過面積を広げ、集塵効率を改善することができると共に、リテーナ本体の上端側で濾布が強く引きつけられるのを緩和して濾布の破損を防止することができ、濾布の長寿命性に優れる。
（２）リテーナ本体の上端側の中心部に、フランジ部にフランジ部開口部を有するベンチュリ管が内挿されて配設されることにより、リテーナ上端部の流路断面積を従来のベンチュリ管を備えたものに比べて拡大することができ、集塵時の吸引に用いるブロアの負荷を低減することができ、省エネルギー性に優れる。
（３）集塵時のブロアによる吸引負圧は、リテーナ本体の上端部で大きくなるため、上端部での粉塵の付着量も多くなるが、周壁部に開口部を有するベンチュリ管を取り付けて逆洗時のパルスジェット（圧縮空気）による負圧の発生を低減することにより、リテーナ本体の上端側での粉塵の払い落とし効果を向上でき、省エネルギー性、濾過性能の信頼性に優れる。
【発明の効果】
【００１６】
以上のように、本発明のベンチュリ管及びそれを備えたバグフィルタ用リテーナによれば、以下のような有利な効果が得られる。
請求項１に記載の発明によれば、
（１）濾布の逆洗時に噴射されるパルスジェット（圧縮空気）の一部を周壁部に形成された開口部からリテーナの半径方向（外周方向）に噴出させ、リテーナの上端側を含む濾布全体を略均一に外方に膨らませることにより、濾布に付着した粉塵を確実に払い落として有効な濾過面積を広げることができ、バグフィルタ用リテーナのメンテナンス性、集塵効率を改善し、省エネルギー性を向上させることができるベンチュリ管を提供することができる。
（２）濾布の逆洗時に噴射されるパルスジェット（圧縮空気）の一部を周壁部の開口部からリテーナの半径方向（外周方向）に噴出させ、リテーナの上端側に発生する負圧を低減することにより、リテーナの上端側で濾布が強く引きつけられるのを緩和して濾布の破損を防止し、濾布の寿命を向上させることができるベンチュリ管を提供することができる。
（３）逆洗時にノズルから噴射される圧縮空気を周壁部の円周上に配置された複数の開口部からリテーナの外周側に向かって満遍なく噴出させることができ、周壁部の外周で部分的に負圧が発生することを防止でき、リテーナ上端側の濾布を全周に渡って確実に外方に膨らませることができ、負圧低減効果の均一性に優れ、バグフィルタ用リテーナの粉塵の払い落としの効率を向上させることができ、脱塵効率を略一定に保つことができる信頼性に優れたベンチュリ管を提供することができる。
【００１７】
請求項２に記載の発明によれば、請求項１の効果に加え、
（１）逆洗時に周壁部に千鳥状に配置された複数の開口部から圧縮空気を噴出させることができ、周壁部の円周方向或いは長手方向の位置によらず、リテーナ上端側の濾布を斑なく均一に外方に膨らませることができ、バグフィルタ用リテーナの粉塵の払い落としの効率性、均一性に優れ、濾過性能の信頼性に優れたベンチュリ管を提供することができる。
【００１８】
請求項３に記載の発明によれば、請求項１又は２の効果に加え、
（１）フランジ部に形設したフランジ部開口部により、リテーナ上端部の流路断面積を確保することができ、集塵時の吸引に用いるブロアの負荷が増加することを防止できる信頼性、省エネルギー性に優れたベンチュリ管を提供することができる。
（２）フランジ部開口部が、上端側から下端側に向かって拡開して形成されたテーパ状の内周面を有することにより、集塵時のブロアの吸引によって発生する圧力損失を低減してブロアの負荷を低減でき省エネルギー性に優れると共に、逆洗時のパルスジェット噴射後の負圧の発生を抑えて負圧改善効果の信頼性を向上させることができ、粉塵の払い落としの効率性、濾過性能の信頼性に優れたベンチュリ管を提供することができる。
【００１９】
請求項４に記載の発明によれば、
（１）濾布の逆洗時に噴射される圧縮空気の一部を周壁部の開口部からリテーナの半径方向に噴出させ、リテーナの上端側に発生する負圧を低減でき、リテーナの上端側を含む濾布全体を外方に膨らませ、濾布に付着した粉塵の払い落としを確実に行うことができメンテナンスの信頼性に優れ、集塵時の有効な濾過面積を広げ、集塵効率を改善することができると共に、リテーナの上端側で濾布が強く引きつけられるのを緩和して濾布の破損を防止することができ、濾布の長寿命性に優れるバグフィルタ用リテーナを提供することができる。
（２）フランジ部にフランジ部開口部が形設されていることにより、リテーナ上端部の流路断面積を確保することができ、集塵時の吸引に用いるブロアの負荷が増加することを防止できる省エネルギー性に優れたバグフィルタ用リテーナを提供することができる。
（３）ベンチュリ管を取り付けて逆洗時のパルスジェット（圧縮空気）による負圧の発生を低減することにより、リテーナ本体の上端側を含む濾布全体を確実に外方に膨らませることができ、粉塵の払い落とし効果を向上させることができ、メンテナンス性、省エネルギー性に優れ、濾過性能の信頼性に優れたバグフィルタ用リテーナを提供することができる。
【発明を実施するための最良の形態】
【００２０】
以下、本発明を実施するための最良の形態を、図面を参照しながら説明する。
（実施の形態１）
図１は本発明の実施の形態１におけるベンチュリ管の断面正面図であり、図２（ａ）は本発明の実施の形態１におけるベンチュリ管の平面図であり、図２（ｂ）は図１のＡ−Ａ線矢視断面図である。
図１及び２中、１は本発明の実施の形態１におけるベンチュリ管、２はベンチュリ管１の筒状の周壁部、２ａはベンチュリ管１の下端開口部、２ｂはベンチュリ管１の上端開口部、３ａは周壁部２の長手方向の上端側で円周上に等角度間隔に配置されたベンチュリ管１の４箇所の開口部、３ｂは周壁部２の長手方向の下端側で円周上に等角度間隔に開口部３ａと互い違いに千鳥状に配置されたベンチュリ管１の４箇所の長孔状の開口部、４ａは周壁部２を切り抜いて開口部３ａを形成する際に開口部３ａの下端部で周壁部２の内周側に取り付け角度α1で折り曲げることにより周壁部２と一体に形成された開口部３ａの案内部としての周壁案内部、４ｂは開口部３ｂの位置に対応した複数（４箇所）の案内部５と略十字型の中央開口部５ａとを有する環状に形成され周壁部２の内周側の下端部に取り付け角度α2＝９０度で溶着により固設された開口部３ｂの案内部としての底部案内部、６は周壁部２の上端側に配設されたベンチュリ管１のフランジ部、６ａはフランジ部６の外周に略コ字型に形成され集塵機の仕切り板（セルプレート）に係止されるベンチュリ管１の固定用係止部、７はフランジ部６の円周上に等角度間隔に形設された８箇所の円形状のフランジ部開口部、７ａはフランジ部開口部７の上端側から下端側に向かって拡開して形成されたテーパ状の内周面である。
【００２１】
図３は本発明の実施の形態１におけるベンチュリ管を備えたバグフィルタ用リテーナの要部断面正面図である。
図３中、１０はリテーナ本体１１の上端側の中心部に実施の形態１におけるベンチュリ管１が内挿されて配設されたバグフィルタ用リテーナ、１２はステンレス鋼等の金属線で環状に形成され所定間隔をあけて複数本配置されたリテーナ本体１１の固定リング、１３はステンレス鋼等の金属線で形成され固定リング１２の外周側の円周上にスポット溶接等で接合されたリテーナ本体１１の複数の縦線材、２０はベンチュリ管１の固定用係止部６ａが係止される集塵機の仕切り板（セルプレート）である。
尚、リテーナ本体１１の外周には筒状等に形成された濾布が配設されるが、説明の都合上、省略した。
【００２２】
開口部３ａ，３ｂを周壁部２の円周上に等角度間隔で４箇所ずつ上下二段に千鳥状に配置した。これにより、周壁部２の強度を低下させることなく、開口面積を増やすことができ、逆洗時に周壁部２の全面から斑なく圧縮空気を噴出させることができ、ベンチュリ管１の取り付け位置近傍の負圧発生領域で発生する負圧を効果的に低減することができ、リテーナ本体１１の上端側での粉塵の払い落としを確実に行うことができる。特に、開口部３ａ，３ｂをベンチュリ管１の周壁部２の円周上に等角度間隔で配置したことにより、周壁部２から噴出される気流の流れが周壁部２の外周の全周に渡って均一となり、斑なく粉塵の払い落としを行うことができ、濾過性能の安定性を向上させることができる。尚、開口部３ｂを長孔状に形成して十分な開口面積を確保したことにより、集塵時にブロア（図示せず）によって吸引された清浄空気が開口部３ｂを通ってベンチュリ管１の内部に侵入し易くなり、ブロアの負荷を低減することができる。
【００２３】
尚、開口部３ａ，３ｂの形状、数、面積、配置等は、本実施の形態に限定されるものではなく、バグフィルタ用リテーナ１０のリテーナ本体１１の直径、ベンチュリ管１の直径や長さなどに応じて、適宜、選択することができる。
また、開口部３ａ，３ｂの数は３箇所〜６箇所が好ましい。開口部３ａ，３ｂの数が３箇所より少なくなるにつれ、周壁部２から噴出される圧縮空気が偏り易くなり、周壁部２の外周付近の濾布が均一に膨らみ難くなって、リテーナ本体１１の上端部での粉塵の払い落とし効果が不十分になる傾向があり、６箇所より多くなるにつれ、ベンチュリ管１の内部を通過してリテーナ本体１１の下端まで到達する圧縮空気の量が不足し易くなり、リテーナ本体１１の下端側での粉塵の払い落とし効果が不十分になる傾向があることがわかったためである。
開口部３ａ，３ｂを配置する段数は、各々の開口部３ａ，３ｂの長さと周壁部２の全長に応じて、適宜、選択することができる。複数段の開口部３ａ，３ｂを配置する場合、段毎の開口部３ａ，３ｂの長さは、本実施の形態のように異なっていてもよいし、同一でもよい。また、各段における各々の開口部３ａ，３ｂの長さは同一である必要はなく、例えば二種類の長さの開口部３ａ，３ｂを円周上に交互に並べることもできる。
【００２４】
周壁部２の上端側と周壁案内部４ａのなす取り付け角度α1は、３０度〜９０度の範囲で適宜、選択することができる。周壁案内部４ａの取り付け角度α1が３０度より小さくなるにつれ、開口部３ａと周壁案内部４ａの間隔が狭くなり、圧縮空気が開口部３ａから噴出し難くなると共に、開口部３ａから噴出した圧縮空気がリテーナ本体１１の半径方向（外周方向）に広がらずにリテーナ本体１１の下端側に流れ易くなり、リテーナ本体１１の上端側（周壁部２の外周）の濾布を外方に膨らますことが困難になる傾向があり、９０度より大きくなるにつれ、周壁案内部４ａに当たった圧縮空気を開口部３ａに案内することができず、圧縮空気がそのままベンチュリ管１の内部を通ってリテーナ本体１１の下端側に流れ易くなり、リテーナ本体１１の上端側（周壁部２の外周）の濾布を外方に膨らますことが困難になる傾向があるためである。
尚、周壁案内部４ａは、周壁部２と一体に形成する以外に、各々の開口部３ａの下端部に平板状の別部材で形成したものを溶着やねじ止めなどにより取り付けてもよく、その場合には、複数の案内部を基部（根元側）で連結して環状に形成することもできる。
【００２５】
本実施の形態では、開口部３ｂに対応する案内部として、中央開口部５ａを有し複数の案内部５が一体に形成された底部案内部４ｂを用いたが、各々の開口部３ｂに対応する複数の案内部５を独立させて個別に配設してもよい。また、案内部４ａと同様に周壁部２の一部を折り曲げて周壁部２と一体に形成することもできる。
尚、周壁部２の上端側と底部案内部４ｂの案内部５のなす取り付け角度α2＝９０度としたが、周壁案内部４ａの取り付け角度α1と同様に３０度〜９０度の範囲で適宜、選択することができる。また、中央開口部５ａの開口面積や形状などは、ベンチュリ管１の内径と周壁部２に形成する開口部３ｂの数に応じて、適宜、選択することができ、開口部３ｂからリテーナ本体１１の外周に噴出させる圧縮空気の量と、中央開口部５ａからリテーナ本体１１の下端側に噴出させる圧縮空気の量とのバランスを考慮して決定される。
【００２６】
フランジ部開口部７の形状、数、配置等は、バグフィルタ用リテーナ１０のリテーナ本体１１の直径やベンチュリ管１の直径などに応じて、適宜、選択することができる。
フランジ部開口部７の形状としては、円形状以外に楕円形状などの長円形状が好適に用いられる。フランジ部開口部７の開口面積（総面積）は、周壁案内部４ａ，底部案内部４ｂの形状や面積などにもよるが、リテーナ本体１１の断面積の３％〜８％に形成した。フランジ部開口部７の開口面積（総面積）がリテーナ本体１１の断面積の３％より小さくなるにつれ、集塵時の吸引に用いるブロアの負荷が増加し易くなる傾向があり、８％より大きくなるにつれ、粉塵の払い落とし時にパルスジェットを噴射した際に、パルスジェットによる濾布内の正圧と仕切り板（セルプレート）上部のブロアの吸引負圧との間で引き合いが発生し、リテーナ本体１１の上端部における負圧低減効果が不十分になると共に、パルスジェットの正圧もリテーナ本体１１の下端まで行き届かなくなり、リテーナ本体１１の下端部での粉塵の払い落としが不足し易くなる傾向があることがわかったためである。
尚、フランジ部開口部７をフランジ部６の円周上に等角度間隔で配置することにより、ブロアによって吸引される清浄空気の流れが周壁部２の外周全周に渡って均一となり、濾布全面で斑無く効率的に濾過を行うことができ、濾過性能の安定性に優れる。
【００２７】
以上のように構成された本発明の実施の形態１におけるベンチュリ管を備えたバグフィルタ用リテーナについて、以下その使用方法を説明する。
図４（ａ）は本発明の実施の形態１におけるベンチュリ管を備えたバグフィルタ用リテーナの集塵時の濾布の状態を示す要部模式断面図であり、図４（ｂ）は本発明の実施の形態１におけるベンチュリ管を備えたバグフィルタ用リテーナの逆洗時の濾布の状態を示す要部模式断面図である。
図４中、２５はリテーナ本体１１の外周に配設された筒状の濾布、３０ａはバグフィルタ用リテーナ１０の上方に配設されリテーナ本体１１の内部に圧縮空気を噴射するパルスジェット形の払い落とし機構３０のノズルである。
【００２８】
集塵時は、図４（ａ）に示すように、含塵気流が濾布２５の外側から濾布２５内に流入し、粉塵が濾布２５の外周に捕集され、粉塵が分離捕集された清浄気流が、リテーナ本体１１の上端側のベンチュリ管１の上端開口部２ｂ及びフランジ部６のフランジ部開口部７を通って排出される。このとき、リテーナ本体１１の下端側から上流側に移動する清浄気流は、ベンチュリ管１の周壁部２に沿ってスムーズに移動することができ、ベンチュリ管１が気流の流れを阻害することはない。
一定時間毎に行われる逆洗時には、図４（ｂ）に示すように、払い落とし機構３０のノズル３０ａから、リテーナ本体１１の内部（濾布２５の内側）に向かって圧縮空気が噴射される。このとき、ベンチュリ管１の上端開口部２ｂから進入した圧縮空気は下端開口部２ａを通ってリテーナ本体１１の下端側に向かって移動するが、その圧縮空気の一部がベンチュリ管１の内部で周壁案内部４ａ，底部案内部４ｂの案内部５にぶつかって開口部３ａ，３ｂからリテーナ本体１１の半径方向（外周方向）に噴出することにより、負圧の発生が低減され、リテーナ本体１１の上端側の濾布２５が略均一に外方に膨らみ、濾布２５の外表面に付着した粉塵が瞬間的に払い落とされる。
また、底部案内部４ｂの中央開口部５ａを通り、ベンチュリ管１の下端開口部２ａを通過してリテーナ本体１１の下端側まで到達する圧縮空気は、リテーナ本体１１の下端側に向かって移動する間に濾布２５を順次、外方に膨らませることができ、濾布２５の全長に渡って外表面に付着した粉塵を確実に払い落とすことができる。
【００２９】
以上のように、本発明の実施の形態１におけるベンチュリ管は構成されているので、以下のような作用が得られる。
（１）周壁部２の円周上に形成された複数の開口部３ａ，３ｂと、開口部３ａ，３ｂの下端部で周壁部２の内周側に突設された周壁案内部４ａや周壁部２の内周側に突出した複数の案内部５を備えた底部案内部４ｂと、を有するので、濾布２５の逆洗時にバグフィルタ用リテーナ１０の上部に配設されたノズル３０ａから圧縮空気を噴射した際に、その圧縮空気の一部を周壁案内部４ａ，底部案内部４ｂの案内部５で案内して開口部３ａ，３ｂから周壁部２の外周方向（リテーナの半径方向）に噴出させることができ、リテーナ本体１１の上端側に発生する負圧を低減することができ、リテーナ本体１１の上端側を含む濾布２５全体を略均一に外方に膨らませることができ、濾布２５に付着した粉塵の払い落としを確実に行うことができ、メンテナンスの信頼性に優れ、集塵時の有効な濾過面積を広げて集塵効率を改善することができ、省エネルギー性に優れる。
（２）濾布２５の逆洗時にバグフィルタ用リテーナ１０の上部に配設されたノズル３０ａから噴射された圧縮空気の一部を開口部３ａ，３ｂからリテーナ本体１１の半径方向（外周方向）に向かって噴出させ、リテーナ本体１１の上端側に発生する負圧を低減することにより、リテーナ本体１１の上端側で濾布２５が強く引きつけられてリテーナ本体１１に張り付くのを緩和することができ、濾布２５の破損を防止して濾布２５の寿命を向上させることができる。
（３）周壁部２の円周上に複数の開口部３ａ，３ｂが配置されることにより、逆洗時にノズル３０ａから噴射される圧縮空気を周壁部２の全周からリテーナ本体１１の外周側に向かって満遍なく噴出させることができ、リテーナ本体１１の上端側の濾布２５を全周に渡って確実に外方に膨らませることができ、粉塵の払い落としを効率的に行って脱塵効率を略一定に保つことができる。
（４）複数の開口部３ａ，３ｂを周壁部２の円周上に配置することにより、周壁部２の外周で部分的に負圧が発生することを防止でき、負圧低減効果の均一性に優れ、確実に粉塵の払い落としを行うことができ、濾過性能の信頼性及び濾布の長寿命性に優れる。
（５）周壁部２の長手方向に複数の開口部３ａ，３ｂを配置することにより、逆洗時にノズル３０ａから噴射される圧縮空気を周壁部２の外周のほぼ全域で開口部３ａ，３ｂからリテーナ本体１１の外周側に向かって噴出させることができ、リテーナ本体１１の上端側の濾布２５を負圧発生領域の全長に渡って確実に外方に膨らませることができ、粉塵の払い落としを効率的に行うことができる。
（６）複数の開口部３ａ，３ｂが、周壁部２に千鳥状に配置されていることにより、逆洗時にノズル３０ａから噴射される圧縮空気を周壁部２の円周方向或いは長手方向の位置によらず、開口部３ａ，３ｂからリテーナ本体１１の外周側に向かって確実に噴出させることができ、リテーナ本体１１の上端側の濾布２５を斑なく均一に外方に膨らませることができ、粉塵の払い落としの効率性、濾過性能の信頼性に優れる。
（７）周壁部２の内周側に周壁案内部４ａ，底部案内部４ｂを配設することにより、ベンチュリ管１の内部の抵抗が増加し、流路断面積が減少するが、フランジ部６にフランジ部開口部７を形設することにより、リテーナ本体１１の上端部の流路断面積を確保することができ、集塵時の吸引に用いるブロアの負荷が増加することを防止でき、信頼性に優れる。
（８）フランジ部開口部７が、上端側から下端側に向かって拡開して形成されたテーパ状の内周面７ａを有することにより、集塵時のブロアの吸引によって発生する圧力損失を低減してブロアの負荷を低減できると共に、逆洗時のパルスジェット噴射後の負圧の発生を抑えることができ、負圧改善効果を向上させて、粉塵の払い落としの効率性、濾過性能の信頼性を向上させることができる。
【００３０】
以上のように、本発明の実施の形態１におけるベンチュリ管を備えたバグフィルタ用リテーナは構成されているので、以下のような作用が得られる。
（１）リテーナ本体１１の上端側の中心部にベンチュリ管１が内挿されて配設されることにより、濾布２５の逆洗時にリテーナ本体１１上部のノズル３０ａから噴射される圧縮空気の一部をベンチュリ管１の周壁部２に設けられた開口部３ａ，３ｂからリテーナ本体１１の半径方向に噴出させ、リテーナ本体１１の上端側に発生する負圧を低減することができ、リテーナ本体１１の上端側を含む濾布２５全体を外方に膨らませ、濾布２５に付着した粉塵の払い落としを確実に行うことができ、集塵時の有効な濾過面積を広げ、集塵効率を改善することができると共に、リテーナ本体１１の上端側で濾布２５が強く引きつけられるのを緩和して濾布２５の破損を防止することができ、濾布２５の長寿命性に優れる。
（２）リテーナ本体１１の上端側の中心部に、フランジ部６にフランジ部開口部７を有するベンチュリ管１が内挿されて配設されることにより、リテーナ本体１１の上端部の流路断面積を従来のベンチュリ管を備えたものに比べて拡大することができ、集塵時の吸引に用いるブロアの負荷を低減することができ、省エネルギー性に優れる。
（３）集塵時のブロアによる吸引負圧は、リテーナ本体１１の上端部で大きくなるため、上端部での粉塵の付着量も多くなるが、周壁部２に開口部３ａ，３ｂを有するベンチュリ管１を取り付けて逆洗時のパルスジェット（圧縮空気）による負圧の発生を低減することにより、リテーナ本体１１の上端側での粉塵の払い落とし効果を向上でき、省エネルギー性、濾過性能の信頼性に優れる。
【実施例】
【００３１】
以下、本発明を実施例により具体的に説明する。
（実施例１）
実施の形態１で説明したベンチュリ管を備えたバグフィルタ用リテーナにより、逆洗時の圧力測定を行った。
圧力測定に用いたバグフィルタ用リテーナ１０は、リテーナ本体１１の直径１６０ｍｍ、リテーナ本体１１の全長９０００ｍｍ、ベンチュリ管１の全長１３０ｍｍ、ベンチュリ管１の周壁部２の直径（内径）５７．５ｍｍ、フランジ部開口部７の孔径（最小径）１３ｍｍとし、フランジ部開口部７の開口面積（総面積）がリテーナ本体１１の断面積のほぼ５％程度になるように形成した（図３参照）。
このバグフィルタ用リテーナ１０にパルスジェット形の払い落とし機構３０のノズル３０ａから２９４ｋＰａのパルスジェット（圧縮空気）を０．２秒間噴射し、バグフィルタ用リテーナ１０の上端から２００ｍｍ、３５０ｍｍ、３０００ｍｍの各位置で圧力を測定した（図４参照）。
尚、圧力の測定には、デジタル微差圧計（長野計器株式会社製、型番ＧＣ６２)を使用した。圧力レンジ（測定レンジ）は−５ｋＰａ〜５ｋＰａとし、コンパレータ出力（応答性：５ｍｓ以内）による測定値の表示とアナログ出力（応答性：５０ｍｓ以内）によるグラフ作成を行った。また、デジタル微差圧計のピークホールド機能により、圧力ポートに印加された最大圧力及び最小圧力をピーク値及びボトム値として内部メモリに記憶した。
【００３２】
（実施例２）
図４において、ノズル３０ａから噴射するパルスジェット（圧縮空気）の圧力を４９０ｋＰａとした以外は、実施例１と同様にして圧力を測定した。
【００３３】
（比較例１）
図５において、ベンチュリ管１の代わりに、従来のベンチュリ管５２（特開平１０−２１１４１０号公報、特開平８−２９９７３２号公報など参照）を取り付けた以外は、実施例１と同様にして圧力を測定した。
尚、図５中のリテーナ本体５１、払い落とし機構７０は、図４中のリテーナ本体１１、払い落とし機構３０と同様であり、異なるのはベンチュリ管５２のみである。
【００３４】
（比較例２）
図５において、ノズル７０ａから噴射するパルスジェット（圧縮空気）の圧力を４９０ｋＰａとした以外は、比較例１と同様にして圧力を測定した。
【００３５】
図６乃至９は圧力の測定結果を示した図である。尚、図６乃至９において、横軸は時間、縦軸は圧力を示している。尚、グラフ上では、表示レンジ（±１．２５ｋＰａ）を超えた部分がカットされ、アナログ出力の応答性に追従できなかったピーク値が表れていないものもあるが、図中に記載した最大圧力及び最大負圧は、それぞれデジタル微差圧計の内部メモリに記憶した最大圧力（ピーク値）及び最小圧力（ボトム値）の値であり、測定には問題ない。
図６の（ａ）〜（ｃ）の比較例１における測定結果と、図７の（ａ）〜（ｃ）の実施例１における測定結果によれば、従来の比較例１では、リテーナ本体１１の上端側（ｌ＝２００ｍｍ，３５０ｍｍ）では最大で１ｋＰａ前後の負圧が発生していた（図６（ａ），（ｂ）参照）のに対し、実施例１では、リテーナ本体１１の上端側（ｌ＝２００ｍｍ，３５０ｍｍ）で比較例１の半分以下の０．４４〜０．４５ｋＰａの負圧しか発生しておらず（図７（ａ），（ｂ）参照）、確実に逆洗を行って濾布２５に付着した粉塵の払い落としを行うことができることが明らかになった。
また、リテーナ本体１１の上端側の負圧発生領域以外（ｌ＝３０００ｍｍ）では、図６（ｃ）の比較例１，図７（ｃ）の実施例１のいずれにおいても十分な正圧が得られており、粉塵の払い落とし状況と一致することが明らかとなった。
【００３６】
尚、比較例１においても、パルスジェット（圧縮空気）を噴射した際に、リテーナ本体１１の上端側（ｌ＝２００ｍｍ，３５０ｍｍ）で一瞬（約０．０２秒間）だけ正圧が発生している（図６（ａ），（ｂ）参照）が、その時間が短いため、濾布５５が反応するに至らず、吸引状態のままとなり、粉塵の払い落としが出来ていないことが明らかとなった。
濾布５５はブロアにより常に吸引されており、一定時間毎に正圧のパルスジェット（圧縮空気）を噴射しても、その噴射速度が速く（約９０ｍ／ｓ）、正圧が発生するのは一瞬（約０．０２秒間）だけで、濾布５５が反応することができずに吸引状態のままとなっており、しかも繰り返し噴射される圧縮空気によって発生する負圧のために、濾布５５がリテーナ本体５１に強く引きつけられ、擦られて破損が発生し易く、濾布５５の寿命低下につながっている。
また、パルスジェット（圧縮空気）の噴射から十分な時間が経過した定常状態における圧力がブロアの吸引圧力を示しているが、比較例１，実施例１共に−０．１２〜−０．１１ｋＰａでブロアの負荷には変化がなく、吸引効率には差がないことが明らかになった。
【００３７】
図６の（ａ）〜（ｃ）の比較例１における測定結果と図８の（ａ）〜（ｃ）の比較例２における測定結果によれば、従来のベンチュリ管５２（図５参照）を取り付けたものでは、パルスジェット（圧縮空気）の圧力を大きくすると、リテーナ本体１１の上端側の負圧発生領域から離れた位置（ｌ＝３０００ｍｍ）では、正圧が大きくなっている（図６（ｃ），図８（ｃ）参照）が、逆にリテーナ本体１１の上端側（ｌ＝２００ｍｍ，３５０ｍｍ）では、最大負圧が２倍以上に増大しており（図６（ａ），（ｂ），図８（ａ），（ｂ）参照）、濾布２５がリテーナ本体１１に強く引きつけられ、破損し易くなっていることが明らかになった。
これに対し、図７の（ａ）〜（ｃ）の実施例１における測定結果と図９の（ａ）〜（ｃ）の実施例２における測定結果によれば、本発明の実施の形態１のベンチュリ管１を取り付けたものでは、パルスジェット（圧縮空気）の圧力を大きくしても、リテーナ本体１１の上端側（ｌ＝２００ｍｍ，３５０ｍｍ）での最大負圧の増加は０．１ｋＰａ程度に抑えられており（図７（ａ），（ｂ），図９（ａ），（ｂ）参照）、リテーナ本体１１の上端側（ｌ＝２００ｍｍ，３５０ｍｍ）での負圧改善効果及び粉塵の払い落とし効果が明らかになった。
尚、比較例１，２で見られたリテーナ本体の上端側で負圧が発生する現象は、ベンチュリ管を備えていないリテーナでも同様に見られる現象（但し、負圧の大きさや分布は異なる）であり、本発明のベンチュリ管を取り付けることによって改善されることは明らかである。
【産業上の利用可能性】
【００３８】
本発明は、上方に配設されるノズルから噴射される圧縮空気の一部をベンチュリ管の周壁部に形成した開口部から噴出させ、ベンチュリ管の外周付近に発生する負圧を緩和することができ、リテーナの上端側を含む濾布全体を外方に膨らませ、濾布に付着した粉塵の払い落としを確実に行うことができ、有効な濾過面積を広げ、集塵効率を改善することができると共に、リテーナの上端側での濾布の張り付きを緩和して濾布の破損を防止することができ、濾布の長寿命性に優れるベンチュリ管及びそれを備えたバグフィルタ用リテーナの提供を行うことができ、既存の集塵機の濾過効率を改善し、濾布の長寿命化を図って、省資源化、省エネルギー化に貢献することができる。
【図面の簡単な説明】
【００３９】
【図１】本発明の実施の形態１におけるベンチュリ管の断面正面図
【図２】（ａ）本発明の実施の形態１におけるベンチュリ管の平面図（ｂ）図１のＡ−Ａ線矢視断面図
【図３】本発明の実施の形態１におけるベンチュリ管を備えたバグフィルタ用リテーナの平面図
【図４】（ａ）本発明の実施の形態１におけるベンチュリ管を備えたバグフィルタ用リテーナの集塵時の濾布の状態を示す要部模式断面図（ｂ）本発明の実施の形態１におけるベンチュリ管を備えたバグフィルタ用リテーナの逆洗時の濾布の状態を示す要部模式断面図
【図５】（ａ）パルスジェット形の払い落とし機構を備えた集塵機における従来のバグフィルタ用リテーナの集塵時の濾布の状態を示す要部模式断面図（ｂ）パルスジェット形の払い落とし機構を備えた集塵機における従来のバグフィルタ用リテーナの粉塵の払い落とし時（逆洗時）の濾布の状態を示す要部模式断面図
【図６】圧力の測定結果を示した図
【図７】圧力の測定結果を示した図
【図８】圧力の測定結果を示した図
【図９】圧力の測定結果を示した図
【符号の説明】
【００４０】
１，５２  ベンチュリ管
２  周壁部
２ａ  下端開口部
２ｂ  上端開口部
３ａ，３ｂ  開口部
４ａ  周壁案内部
４ｂ  底部案内部
５  案内部
５ａ  中央開口部
６，５２ａ  フランジ部
６ａ  固定用係止部
７  フランジ部開口部
７ａ  内周面
１０，５０  バグフィルタ用リテーナ
１１，５１  リテーナ本体
１２  固定リング
１３  縦線材
２０，６０  仕切り板（セルプレート）
２５，５５  濾布
３０，７０  払い落とし機構
３０ａ，７０ａ  ノズル
【図１】
2008049302.tif 000003
【図２】
2008049302.tif 000004
【図３】
2008049302.tif 000005
【図４】
2008049302.tif 000006
【図５】
2008049302.tif 000007
【図６】
2008049302.tif 000008
【図７】
2008049302.tif 000009
【図８】
2008049302.tif 000010
【図９】
2008049302.tif 000011